(57)【要約】【課題】従来のように給送されたシートの検知タイミングに基づいてエアの強さを変更すると、その効果が出るまでに時間を要し搬送不良が生じる可能性があった。【解決手段】給送装置は積載されたシートの側面にエアを吹きつける送風手段と、その積載されたシートの最上部から所定の間隔でシートを所定の方向に給送する給送手段と、給送されるシートの搬送路に備えられ、該シートを検知する検知手段とを備える。そして、給送手段によるシート給送が開始されてから検知手段により検知されるまでの時間が予め定められた閾値より長い場合、前記送風手段によるエアの吹きつけは維持しつつ、所定の間隔よりも長い間隔で前記シートを給送するように前記給送手段を制御する。【選択図】  図４
2019089647.tif 000002
【特許請求の範囲】
【請求項１】
シートを積載する積載手段と、
前記積載手段に積載されたシートの側面にエアを吹きつける送風手段と、
前記積載手段に積載されたシートの最上部から予め定められた間隔でシートを予め定められた方向に給送する給送手段と、
前記給送手段により給送されるシートの搬送路に備えられ、該シートを検知する検知手段と、
前記給送手段による給送が開始されてから前記シートが前記検知手段により検知されるまでの時間が予め定められた閾値より長い場合、前記送風手段によるエアの吹きつけは維持しつつ、前記予め定められた間隔よりも長い間隔で前記シートを給送するように前記給送手段を制御する制御手段とを有することを特徴とする給送装置。
【請求項２】
前記予め定められた間隔が、前記検知手段が前記シートを検知しない状態になってから次のシートを給送するまでの間の時間であることを特徴とする請求項１に記載の給送装置。
【請求項３】
シートが積載される上下方向と交差する水平方向に移動可能であり、前記積載手段に積載されたシートの側面の移動を規制する一対の規制手段と、
前記一対の規制手段に設けられ、前記送風手段により生み出された気流の送風口とをさらに有することを特徴とする請求項１又は２に記載の給送装置。
【請求項４】
前記送風手段は、
気流を生み出すファンと、
前記ファンにより生み出された気流を前記送風口へ導くダクトとを含むことを特徴とする請求項３に記載の給送装置。
【請求項５】
前記給送手段は、
前記積載手段に積載されたシートの最上部からシートをピックアップする第１のローラと、
前記第１のローラを回転させる第１のモータと、
前記第１のローラによりピックアップされ給送されたシートを一枚一枚分離して搬送する第２のローラと、
前記第２のローラを回転させる第２のモータとを含むことを特徴とする請求項４に記載の給送装置。
【請求項６】
前記制御手段は、
前記第１のモータの駆動開始から前記検知手段によるシートの検知までの時間を計時するタイマと、
前記タイマにより計時された時間と前記予め定められた閾値とを比較する比較手段とを含むことを特徴とする請求項５に記載の給送装置。
【請求項７】
前記制御手段は、前記比較手段による比較により、前記計時された時間が前記予め定められた閾値より長いと判断された場合には、前記送風手段によるエアの風量を変化させることを特徴とする請求項６に記載の給送装置。
【請求項８】
前記エアの風量の変化は、前記ファンによる送風の時間を長くすることと前記ファンの回転速度を速くすることとのうちの少なくともいずれかによる風量の増加であることを特徴とする請求項７に記載の給送装置。
【請求項９】
前記制御手段は、前記比較手段による比較により、前記計時された時間が前記予め定められた閾値より長いと判断された場合には、前記第１のモータと前記第２のモータの回転速度を低速にすることにより前記給送手段による給送動作を遅くすることを特徴とする請求項６に記載の給送装置。
【請求項１０】
前記制御手段は、前記比較手段による比較により、前記計時された時間が前記予め定められた閾値より長いと判断された場合には、前記第１のモータと前記第２のモータの回転を一時的に停止することにより前記給送手段による給送動作を一時的に保留することを特徴とする請求項６に記載の給送装置。
【請求項１１】
前記制御手段による制御は、前記積載手段に積載されたシートの一枚一枚に対して行うことを特徴とする請求項１乃至１０のいずれか１項に記載の給送装置。
【請求項１２】
請求項１１に記載の給送装置と、
前記給送装置から給送されたシートに対して画像を形成する画像形成手段と、を有することを特徴とする画像形成装置。
【請求項１３】
請求項１１に記載の給送装置と、
前記給送装置から給送されたシートに対して画像を形成する画像形成手段を備えた画像形成装置と、を有することを特徴とする画像形成システム。
【発明の詳細な説明】
【技術分野】
【０００１】
本発明は積載されたシートを給送する給送装置、その給送装置を備えた画像形成装置、及び、画像形成システムに関する。
【背景技術】
【０００２】
複写機、プリンタ等の画像形成装置において、シート収納部とシート収納部に収納されたシートを送り出す給送ローラ等の給送機構とを備え、シート収納部に収納されたシートを給送機構により画像形成部に給送する構成を備えたものが知られている。近年になり、このような画像形成装置の中でも、数千枚もの大量のシートを補給可能な大容量のシート収納部を備えるものが増えてきている。
【０００３】
このようなシートの給送機構において、給送性能向上のためシートの側面にエアを当てる構造が知られている。その中でもシートの検知タイミングに基づいて、シートの搬送不良の兆候を捉え、エアの強さ調整を自動で行う機構が知られている。
【先行技術文献】
【特許文献】
【０００４】
【特許文献１】特開２０１４−００１０６１号公報
【発明の概要】
【発明が解決しようとする課題】
【０００５】
しかしながら上記従来技術では、シートの給送開始からシート搬送路に設けられたセンサがそのシートを検知するまでの時間に基づいて搬送不良を予測し、エアの強さを変更して搬送性能の向上を図っている構成となっている。このため、その効果が出るまでに時間を要し、例えば、シートを連続的に給送する必要がある場合、風量が変更され、十分なシート捌きの効果か生じる前に次のシートが給送されてシート捌きが間に合わず、依然として搬送不良が発生する可能性があった。
【０００６】
本発明は上記従来例に鑑みてなされたもので、シート捌きを十分に行って信頼性の高い搬送を行うことができる給送装置、画像形成装置、及び画像形成システムを提供することを目的とする。
【課題を解決するための手段】
【０００７】
上記目的を達成するために本発明の給送装置は次のような構成からなる。
【０００８】
即ち、シートを積載する積載手段と、前記積載手段に積載されたシートの側面にエアを吹きつける送風手段と、前記積載手段に積載されたシートの最上部から予め定められた間隔でシートを予め定められた方向に給送する給送手段と、前記給送手段により給送されるシートの搬送路に備えられ、該シートを検知する検知手段と、前記給送手段による給送が開始されてから前記シートが前記検知手段により検知されるまでの時間が予め定められた閾値より長い場合、前記送風手段によるエアの吹きつけは維持しつつ、前記予め定められた間隔よりも長い間隔で前記シートを給送するように前記給送手段を制御する制御手段とを有することを特徴とする。
【０００９】
また本発明を別の側面から見れば、上記構成の給送装置と、前記給送装置から給送されたシートに対して画像を形成する画像形成手段とを有することを特徴とする画像形成装置を備える。
【００１０】
さらに本発明を別の側面から見れば、上記構成の給送装置と、前記給送装置から給送されたシートに対して画像を形成する画像形成手段を備えた画像形成装置とを有することを特徴とする画像形成システムを備える。
【発明の効果】
【００１１】
本発明によれば、信頼性の高いシート搬送を行うことができるという効果がある。
【図面の簡単な説明】
【００１２】
【図１】本発明の代表的な実施例に従うシート給送装置を備えた画像形成装置の概略構成を示す側断面図である。
【図２】カバーを取り外した状態の、シート給送装置の要部を示す斜視図である。
【図３】ペーパデッキの制御構成を示すブロック図である。
【図４】捌きファンの駆動制御処理を示すフローチャートである。
【発明を実施するための形態】
【００１３】
以下添付図面を参照して本発明の好適な実施例について、さらに具体的かつ詳細に説明する。しかしながら、本発明は以下に説明する実施例により限定されるものではなく、本発明の要旨を逸脱しない範囲での変更や追加があっても構わない。
【００１４】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体（シート）」とは、一般的な画像形成装置で用いられる記録紙のみならず、広く、布、プラスチック・フィルム（ＯＨＰ）、金属板、ガラス、セラミックス、木材、皮革等、搬送の可能な媒体も含むものである。
【００１６】
＜画像形成装置の概要（図１）＞
図１は本発明の代表的な実施例である電子写真方式に従って画像を形成する画像形成システム１０００の概要構成を示す側断面図である。
【００１７】
図１に示すように、画像形成システム１０００は、画像形成装置（ＬＢＰ）９００と画像形成装置９００に接続されたペーパデッキ３０００とを備えている。ペーパデッキ３０００には、画像形成システム１０００の全体を制御するコントローラ１２０の指令に従ってペーパデッキ３０００を制御する、ＣＰＵ、ＲＡＭ、ＲＯＭを有する制御部４１が設けられている。
【００１８】
また、画像形成装置９００は、シートＳを給送する、同じ構成の第１〜第４シート給送装置１００１〜１００４と、シート給送装置１００１〜１００４により給送されたシートＳを画像形成部９０１に搬送するシート搬送装置９０２とを備えている。画像形成装置９００に設けられたコントローラ１２０は、画像形成システム１０００の各部を制御するために、ＣＰＵ、ＲＡＭ、ＲＯＭを有する。また、コントローラ１２０は外部（例えば、ＰＣなど）から画像データを受信して画像信号を生成し、これを画像形成部９０１に出力する。
【００１９】
第１〜第４シート給送装置１００１〜１００４はそれぞれ、シートＳを収納する給紙カセット１０と、ピックアップローラ１１と、フィードローラ２２及びリタードローラ２３から構成される分離搬送ローラ対２５とを備えている。給紙カセット１０内に収納されたシートＳは、所定のタイミングで昇降動作して回転するピックアップローラ１１と分離搬送ローラ対２５とによって１枚ずつ分離されて給送される。また、フィードローラ２２とリタードローラ２３とのシート給送方向の下流側近傍には給送センサ２４が配置されており、給送センサ２４によりシートＳの通過が検出され、その検知信号がコントローラ１２０に送信される。
【００２０】
シート搬送装置９０２は、搬送ローラ対１５、プレレジストローラ対１３０、及びレジストローラ対１１０を備えている。第１〜第４シート給送装置１００１〜１００４から給送されたシートＳは、搬送ローラ対１５及びプレレジストローラ対１３０により、シート搬送路１０８を通過させられた後、レジストローラ対１１０に導かれる。この後、シートＳは、レジストローラ対１１０によって、所定のタイミングで画像形成部９０１に送り込まれる。
【００２１】
画像形成部９０１は、感光ドラム１１２、レーザスキャナ１１１、現像器１１４、転写帯電器１１５、及び分離帯電器１１６等を備えている。そして、画像形成時には、コントローラ１２０からの画像信号により駆動されるレーザスキャナ１１１からのレーザ光がミラー１１３で折り返されて、時計回り方向に回転する感光ドラム１１２に照射されることで、感光ドラム上に静電潜像が形成される。さらに、このようにして感光ドラム上に形成された静電潜像は、この後、現像器１１４によってトナー像として顕像化される。
【００２２】
この後、感光ドラム上のトナー像は、転写部１１２ｂにおいて転写帯電器１１５によりシートＳに転写される。さらに、このようにトナー像が転写されたシートＳは、分離帯電器１１６により感光ドラム１１２から静電分離された後、搬送ベルト１１７により定着装置１１８に搬送されてトナー像の定着が行われ、この後、排出ローラ１１９によって排出される。なお、画像形成部９０１及び定着装置１１８により、シート給送装置３０（或いはシート給送装置１００１〜１００４）から給送されたシートＳに画像を形成する。
【００２３】
また、定着装置１１８と排出ローラ１１９との間の搬送経路中に排出センサ１２２が配置されており、排出センサ１２２の検知信号に基づき、コントローラ１２０が、排出されるシートＳの通過を検出する。
【００２４】
さらに、上述した実施例では、単機能の画像形成装置（プリンタ装置）を例として説明したが本発明はこれによって限定されるものではない。本発明は、例えば、画像読取装置（スキャナ装置）と画像形成装置とＡＤＦ装置が一体化した複写機システムにも適用できるし、さらに複写機システムにファクシミリ機能を加えた複合システムとしても良い。
【００２５】
またさらに、上記画像形成装置の画像形成部は電子写真方式に従って画像を形成する機構を備えているとして説明したが本発明はこれによって限定されるものではない。例えば、インクジェット方式に従って画像を形成する画像形成部としても良い。
【００２６】
次に、上記構成のような画像形成システム１０００のシート給送装置として、大容量デッキであるペーパデッキ３０００を例として取り上げ、ペーパデッキ３０００に関する実施例について説明する。
【００２７】
図２はカバーを取り外した状態でのペーパデッキ３０００の要部を示す斜視図である。
【００２８】
図１及び図２に示すように、ペーパデッキ３０００は、装置本体３０００ａと、装置本体３０００ａ内に収容された大容量デッキ収納庫６２と、シート給送装置３０とを有している。シート給送装置３０は、大容量デッキ収納庫６２内に積載・収容されたシートＳを画像形成部９０１に向けて送り出す。このため、大容量デッキ収納庫６２はシート積載装置ともいう。
【００２９】
シート給送装置３０は、通常のシートＳを積載する用紙積載台（シート積載台）６１と、用紙積載台６１に積載されたシートＳを送り出すピックアップローラ５１と、分離搬送ローラ対３１とを備える。分離搬送ローラ対３１は、フィードローラ１２とリタードローラ１３とから構成される。ピックアップローラ５１は、シート給送方向（矢印ｂ方向）の先端部の近傍に、用紙積載台６１上の最上位シートに適宜の力で圧接可能となるように配置されている。これにより、ピックアップローラ５１は、用紙積載台６１の上方に設けられ、上昇した用紙積載台６１に積載されたシートＳの最上位シートと当接して矢印ｂ方向に給送する。
【００３０】
用紙積載台６１は、シートが積載可能で、シートの積載方向（上下方向）に昇降モータ（不図示）を含む駆動機構により昇降動作されるように支持されている。また、用紙積載台６１上側におけるピックアップローラ５１の上流側には上面検知センサ５０が配置されている。上面検知センサ５０は、用紙積載台６１の上方に位置して用紙積載台上のシートＳの上面６８を検知する。用紙積載台６１が最も下降した場合には、用紙積載台６１はシート給送装置３０のベース板６３に当接する。図１に点線８１で示すように、積載されるシートの量が減少した場合には、用紙積載台６１は上昇する。
【００３１】
大容量デッキ収納庫（以下、収納庫）６２には、用紙積載台６１と、一対のサイド規制部材８０とを備えている。サイド規制部材８０は、用紙積載台６１に積載されたシートＳの給送方向（図２の矢印ｂ方向）と直交し、上下方向とは交差する幅方向（図２の矢印ｈ方向：水平方向）の側端位置８０ａ、８０ｂを規制可能、且つ双方が幅方向に移動可能に構成されている。一対のサイド規制部材８０は、仕様上対応した全てのシートサイズ幅までスライドして、用紙積載台６１上のシートＳをガイド可能となるように構成されている。即ち、サイド規制部材は、シートの幅方向に移動可能に支持されて、積載されたシートＳの両端部に当接してシートＳの両側位置を規制する。なお、図２中の符号８６は、用紙積載台６１上のシートＳの前端部を規制する前端規制部である。
【００３２】
この実施例では、上述のようにピックアップローラ５１が用紙積載台上のシートＳの最上位のシートに適正な力で圧接可能となるように構成されている。用紙積載台６１上のシートＳは、所定のタイミングで昇降動作して回転するピックアップローラ５１と分離搬送ローラ対３１とにより１枚ずつ分離給送される。
【００３３】
ペーパデッキ３０００の画像形成装置９００との接続部１４には、ペーパデッキ３０００側から画像形成装置９００側のプレレジストローラ対１３０にシートＳを送り出す接続搬送路３２が配置されている。また、接続搬送路３２には搬送されたシートＳを検知するシートセンサ３２ａが設けられている。
【００３４】
また、用紙積載台６１上のシートＳの後端部を規制するように後端規制部材８７が配置されている。後端規制部材８７は、シート給送方向（矢印ｂ方向）と平行な方向に移動可能に支持されて、シートＳの後端位置を規制している。後端規制部材８７は、用紙積載台６１の中央部に形成された位置決め長穴部６１ａ（図２）に沿って移動させられる。
【００３５】
図２に示すように、ピックアップローラ５１が駆動モータ（不図示）により駆動されて、シートＳを給送する方向（矢印ａ方向）に回転すると、最上位のシートＳが矢印ｂ方向に送り出される。これにより、シートＳは、ピックアップローラ５１の出口側に隣接している分離搬送ローラ対３１のニップ部に当接する。
【００３６】
一方、一対のサイド規制部材８０の上部の内側には、図２に示すように、送風口３００が設けられており、シートＳの両側面に対して、エアが吹き出すようになっている。送風口３００はダクト（不図示）を介して捌きファン（後述）と連通しており、捌きファンを駆動することにより生み出された気流がダクトに導かれて送風口３００に達し、エアブローとしてシートＳの側面に吹きつける。その結果、積載された複数枚のシートの間にエアが入り込み、シートを一枚一枚分離する。これにより、ピックアップローラ５１による一枚一枚のシートＳの送り出しをより確実にすることができ、重送の発生を極力防止することができる。
【００３７】
また、たとえピックアップローラ５１で送り出されるシートＳに重送が発生しても、次のような制御が実行される。即ち、矢印ａと同じ方向（矢印ｃ方向）に回転するフィードローラ１２とは逆方向に従動回転するリタードローラ１３が、ニップ部に２枚以上のシートＳが介在することでフィードローラ１２と同じ方向に回転する。すると、リタードローラ１３により、ニップ部内の２枚目以降のシートＳが用紙積載台６１の方向に押し戻され、フィードローラ１２により最上位の１枚のシートＳだけが矢印ｂ方向に送り出される。
【００３８】
以上の構成を有するペーパデッキ３０００から給送され、或いは、前述した第１〜第４シート給送装置１００１〜１００４の何らかからシートＳが給送されると、シートＳの先端は、プレレジストローラ対１３０のニップ部に突き当たる。プレレジストローラ対１３０は、一対の対向ローラで構成されて、駆動モータ（不図示）により図２中の矢印ｄの方向に回転可能に、シートＳの搬送路上に配置されている。プレレジストローラ対１３０のニップ部に一旦突き当たったシートＳは、給送タイミングに合わせて回転するプレレジストローラ対１３０により、画像形成装置９００内部へと搬送される。
【００３９】
図３はペーパデッキ３０００の制御構成を示すブロック図である。
【００４０】
図３に示すように、ペーパデッキ３０００は、操作パネル４０を介したユーザからの指示を画像形成装置９００が受付け、その指示を表す信号（例えば、印刷指示ＰＲＴ）をコントローラ１２０から制御部４１に送信することにより動作する。
【００４１】
さらに、画像形成装置９００からの印刷要求ＰＲＴの受信に応じて、制御部４１は用紙積載台６１に積載されたシートＳを画像形成装置９００に給送する。また、この給送動作により、用紙積載台６１に積載されたシート量が減少してゆくのに従って、制御部４１は昇降モータ５５を駆動して、用紙積載台６１を上昇させる。
【００４２】
この給送・搬送動作において、制御部４１は、給送モータ４４とフィードモータ４６を駆動し、給送モータ４４により回転するピックアップローラ５１によりシートＳを１枚ずつピックアップして給送する。ピックアップローラ５１によりピックアップされたシートＳはさらに、フィードモータ４６により回転するフィードローラ１２により搬送される。このようにして接続搬送路３２へと搬送されてきたシートＳはシートセンサ３２ａにより検知され、このセンサによる検知信号ＤＣＴを制御部４１に送信する。制御部４１は、この検知信号ＤＣＴを受信して、上述したモータの駆動や捌きファン４５の駆動を制御したり、給送動作の状況を示す信号ＦＥＥＤを画像形成装置９００に送信したりする。また、シートセンサ３２ａによりシートが検知されなくなってから所定時間後に次のシートの給送が行なわれる。
【００４３】
次に、以上のような構成のペーパデッキ３０００に備えられた捌きファン４５の駆動制御についてフローチャートを参照して説明する。
【００４４】
図４は捌きファンの駆動制御処理を示すフローチャートである。ここでは、一枚のシートＳの給送を例として説明する。
【００４５】
まず、ステップＳ１１０では、画像形成システム１０００を起動すると、システムの初期設定を行う。そして、画像形成装置９００からの印刷要求ＰＲＴの受信に応じて、ステップＳ１２０では、制御部４１は画像形成装置９００へのシートＳの給送動作の開始に応じて捌きファン４５を駆動する。これにより、送風口３００からエアが積載されたシートの側面へと吹き付けられ、所謂、シートのエア捌きがなされる。
【００４６】
なお、印刷要求ＰＲＴでは１枚のシートに印刷を行う要求のみならず、複数枚のシートを連続的に給送しながら複数枚のシートそれぞれに印刷を行う要求もある。
【００４７】
ステップＳ１３０では、給送動作のために給送モータ４４を駆動し、ピックアップローラ５１を駆動して用紙積載台６１に積載された最上部のシートＳを１枚ピックアップし、そのシートを給送する。この時、フィードローラ１２とリタードローラ１３も駆動され、シートＳが搬送される。
【００４８】
ピックアップローラ５１によるピックアップ動作のための給送モータ４４の駆動開始を契機としてタイマによる計時を開始する。そして、ステップＳ１４０では、一枚のシートＳが接続搬送路３２を経て搬送されると、給送モータ４４の駆動を停止する。さらに、ステップＳ１５０では、シートセンサ３２ａが搬送されたシートＳを検知すると、タイマによる計時を停止する。これにより、ピックアップローラ５１が一枚のシートＳを搬送するための、給送モータ４４の駆動開始からシートセンサ３２ａによる検知タイミングまでの時間が計測される。この時間を給送時間（ＦＴ）という。
【００４９】
次に、ステップＳ１６０では、給送時間（ＦＴ）と所定の閾値時間（ＴＨ１）とを比較する。ここで、給送時間が所定の閾値時間より短い場合（ＦＴ≦ＴＨ１）、搬送動作は良好に推移していると判断し、処理はステップＳ１９０に進む。これに対して、給送時間が所定の閾値時間より遅い（長い）場合（ＦＴ＞ＴＨ１）、搬送不良が発生する可能性があると判断し、処理はステップＳ１７０に進む。
【００５０】
ステップＳ１７０では、シートの給送動作を終了したかどうかを判断する。ここで、印刷要求ＰＲＴに基づいた全てのシートの給送動作を終了したと判断された場合、処理は終了する。これに対して、全てのシートの給送動作が終了していない判断された場合、処理はステップＳ１８０で所定時間待機し、ステップＳ１３０に戻り、前述の処理を繰り返す。ここで、ステップＳ１８０の所定時間は、シートのサイズや画像形成に必要な時間を考慮して決定される。
【００５１】
ステップＳ１９０では、捌きファン４５の駆動は維持しながら、給送モータ４４とフィードモータ４６の駆動をステップＳ１８０における所定時間よりも長い停止時間の間、停止する。そして、フィードローラ１２、リタードローラ１３、ピックアップローラ５１の回転を停止する。これにより、シートＳの搬送・分離動作は一時的に保留されたまま、エアが積載シートの側面からシートの間に流入し、シートの分離が容易になる。その後、処理はステップＳ１３０に戻り、給送モータ４４とフィードモータ４６の駆動を再開し前述の処理を繰り返す。
【００５２】
従って以上説明した実施例に従えば、捌きファンを駆動して積載されたシートの側面からエアを吹き付けて、シートの分離を促進し、シートのピックアップからの給送時間が所定の時間（即ち、所定の間隔）以下となるように制御することができる。これにより、複数のシート給送の全体として、より短い時間でシートの給送を行うことができる。
【００５３】
また、上記制御では、シートを１枚供給するごとに、その給送時間を計測し、その給送時間が長い場合には捌きモータの駆動は維持しながら各ローラの回転を所定時間、停止し、その後、それらのローラの回転を再開し、次のシートを供給するよう制御する。これにより、連続的にシートの給送を行う場合でもシートの側面からエアを吹き付け、シートを捌いて、１枚１枚シートを確実に給送することができる。
【００５４】
なお、以上説明した実施例では、捌きファン４５の回転速度については、特に、説明しなかったが、例えば、ステップＳ１７０において、捌きファン４５の回転速度を速め、つまり、エアブローの風量を変化（増加）させても良い。これにより、より強いエアブローによりシートのエア捌きが促進される。
【００５５】
また、以上説明した実施例では、ステップＳ１７０においてシートＳの搬送・分離動作は一時的に保留した場合の捌きファンの駆動を維持するとし、その駆動時間が各ローラの回転が停止している所定時間となる以外、特に言及しなかった。しかしながら、この駆動時間を、捌きファンによるシート捌きを通常の時間よりも長くする、例えば、所定の閾値時間（ＴＨ１）より長いシート捌き時間にするなど、シートを捌く時間を変更しても良い。またさらに、ステップＳ１７０における捌きファンの駆動時間を長くすることと回転速度を速くして風量を増加させることの両方の制御を行うようにしても良い。これにより、さらに一層のシートのエア捌きが促進される。
【００５６】
さらに、以上説明した実施例では、ステップＳ１７０においてシートＳの搬送・分離動作を各ローラの回転を停止することで一時的に保留したが、次のステップＳ１３０では各ローラを回転させる対応するモータの回転を低速にしても良い。これにより、シートの給送速度が低速になり、シートの給送動作が遅くなり、実質的にはシートの側面へ吹きつける風量が増加し、さらに一層のシートのエア捌きが促進される。
【００５７】
またさらに、以上説明した実施例では、ペーパデッキと画像形成装置が別体である構成としたが、本発明はこれによって限定されるものではなく、ペーパデッキが画像形成装置内に内蔵されている構成でも良い。
【符号の説明】
【００５８】
１２  フィードローラ、１３  リタードローラ、３０  シート給送装置、
５０  上面検知センサ、５１  ピックアップローラ、６１  用紙積載台、６１ａ  長穴、
６１ｂ  操作穴、６２  大容量デッキ収納庫（シート積載装置）、
８０  サイド規制部材、８６  前端規制部材、８７  後端規制部材、３００  送風口
【図１】
2019089647.tif 000003
【図２】
2019089647.tif 000004
【図３】
2019089647.tif 000005
【図４】
2019089647.tif 000006